(57)【要約】【課題】本発明は、吹奏楽器リコーダー使用後にマウスピース部に装着することで外部からの雑菌を寄せ付けず、リコーダーに付着していた雑菌の減少を促進するリコーダー用抗菌キャップを提供することを目的とする。【解決手段】本発明のリコーダー用抗菌キャップ１は、一方が開口されると共に他方が閉鎖され、中央で上下に２分割された上半容器部３と下半容器部４とが他方側のヒンジ２により開閉自在とされた円筒容器状とし、全体が抗菌剤を混合したプラスチックで一体成型される。前記上半容器部は、前記マウスピース部Ｂの外周を覆う上円筒部と該上円筒部から連続して前記マウスピース部Ｂの吹き口に沿う上円錐部とからなり、前記下半容器部４は、同様に前記上半容器部と対称的に形成された下円筒部及び下円錐部とからなる。前記上半容器部の上円筒部に耳部９が形成され、前記下半容器部４の下円筒部に突部がそれぞれ設けられる。【選択図】図１
2007279132.tif 000002
【特許請求の範囲】
【請求項１】
一方が開口されると共に他方が閉鎖され、中央で上下に２分割された上半容器部と下半容器部とが他方側のヒンジにより開閉自在とされた円筒容器状とし、全体が抗菌剤を混合したプラスチックで一体成型されることを特徴とするリコーダー用抗菌キャップ。
【請求項２】
前記下半容器部には、脚部及び丸孔を形成することを特徴とする請求項１記載のリコーダー用抗菌キャップ。
【請求項３】
前記下半容器部の内面には、フインを形成することを特徴とする請求項１記載のリコーダー用抗菌キャップ。
【発明の詳細な説明】
【技術分野】
【０００１】
本発明は、吹奏楽器リコーダー使用後にマウスピース部に装着することで外部からの雑菌を寄せ付けず、リコーダーに付着していた雑菌の減少を促進するリコーダー用抗菌キャップに関する。
【背景技術】
【０００２】
近年、清潔指向の高まりから菌の繁殖を抑制する機能を備えた抗菌商品が多数開発されている。
笛、管楽器などのマウスピース部及び共鳴室の唾液が付着する可能性のある構成部分に抗菌剤を混入または被覆することにより抗菌性能を付与し、唾液などの付着により菌類が繁殖し易い環境であってもこれを抑制することができ、かつ菌類に起因する臭いの発生をも防止し、清潔かつ人体に対し安全な鳴音器具が知られている（特許文献１を参照）。
また、リコーダーは全体が合成樹脂で作られており、胴管部と該胴管部の一端に差し込まれたマウスピース部によって構成されており、前記マウスピース部が抗菌剤を混合した合成樹脂で作成されているので、抗菌剤の抗菌作用によって、マウスピース部における菌の繁殖を防止して、これを常に清潔に維持でき、したがって、口を介した体内への菌の侵入を心配することなく、安心して快適に演奏を行うことができるものがある（特許文献２を参照）。
【特許文献１】特開平８−２７８７８７号公報
【特許文献２】特開平９−５６７９０号公報
【発明の開示】
【発明が解決しようとする課題】
【０００３】
本発明は、吹奏楽器リコーダー使用後にマウスピース部に装着することで外部からの雑菌を寄せ付けず、リコーダーに付着していた雑菌の減少を促進するリコーダー用抗菌キャップを提供することを目的とする。
【課題を解決するための手段】
【０００４】
本発明のリコーダー用抗菌キャップは、一方が開口されると共に他方が閉鎖され、中央で上下に２分割された上半容器部と下半容器部とが他方側のヒンジにより開閉自在とされた円筒容器状とし、全体が抗菌剤を混合したプラスチックで一体成型されるものである。
さらに、前記下半容器部には、脚部及び丸孔を形成する。
また、前記下半容器部の内面には、フインを形成する。
【発明の効果】
【０００５】
本発明のリコーダー用抗菌キャップをリコーダーに装着することで、雑菌・ばい菌の増殖、繁殖を防ぐ機能を持たせ、使用後の拭き取りと二重の策となり、万が一拭き取り忘れがあったとしても、菌の増殖を防止する機能があるので安心である。
本発明のリコーダー用抗菌キャップは、吹き口の形状に合わせて円筒状に加工されているが、転がり防止ストッパー機能の脚部を付属しているので、転がって床に落ちることがない。
【発明を実施するための最良の形態】
【０００６】
本発明のリコーダー用抗菌キャップの一実施例を図面に基づいて、以下に説明する。
図１の要部断面正面図および図２の平面図に示すように、本発明のリコーダー用抗菌キャップ１は、胴管部Ａと該胴管部Ａの一端に差し込まれたマウスピース部Ｂによって構成されたリコーダーＣにおいて、リコーダーＣ使用後に前記マウスピース部Ｂ全体に密閉状に装着される。
本発明のリコーダー用抗菌キャップ１は、ヒンジ２による開閉式の容器形状となっており、図１の状態から図２の状態へ前記リコーダーＣのマウスピース部Ｂを収納した状態でも全体の縦横幅が細く形成されている。
【０００７】
次に、本発明のリコーダー用抗菌キャップの詳細構造を図面に従って説明する。
図３の正面図に示すように、本発明のリコーダー用抗菌キャップ１は、一方（図３においては左側）が開口されると共に他方（図３においては右側）が閉鎖され、中央で上下に２分割された上半容器部３と下半容器部４とが他方側（図３においては右側）のヒンジ２により開閉自在とされた円筒容器状とし、全体が抗菌剤を混合したプラスチックで一体成型される。
一体成型のプラスチックは、薄肉状に形成されるのが好ましく、透明、半透明、着色のいずれを選択してもよい。
前記上半容器部３は、前記マウスピース部Ｂの外周を覆う上円筒部５と該上円筒部５から連続して前記マウスピース部Ｂの吹き口に沿う上円錐部６とからなり、前記下半容器部４は、同様に前記上半容器部３と対称的に形成された下円筒部７及び下円錐部８とからなる。
前記上半容器部３の上円筒部５に耳部９が形成され、前記下半容器部４の下円筒部７に突部１０がそれぞれ設けられる。
また、前記下円筒部７及び下円錐部８には、脚部１１及び丸孔１２を形成する。
【０００８】
図４の平面図に示すように、前記上半容器部３の上円筒部５の両側に耳部９が形成され、該耳部９は逆コ字状の先端を前記上円筒部５に固定し、前記ヒンジ２と反対側であって前記下半容器部４との接合部付近にそれぞれ設けられる。
一方、前記下半容器部４には、前記上半容器部３の耳部９の逆コ字状開口が嵌合される突部１０がそれぞれ設けられる。
前記耳部９と突部１０は、前記上半容器部３と下半容器部４との接合時の固定具となるもので、これに限らず、固定具となるものであれば公知のものを利用することができる。
【０００９】
図５の底面図に示すように、前記下半容器部４の下円筒部７の下円錐部８側（図５においては右側）には、所定間隔で２個の小突起状の脚部１１を形成して、前記下円筒部７が転がらないように前記脚部１１で２点固定支持する。
なお、前記脚部１１は、小突起状に限らず、転がりを防止する構造であれば良い。
また、前記下半容器部４の下円錐部８には、所定間隔で３個の丸孔１２を形成し、外気との通気を可能とする。
なお、前記丸孔１２は外気と連通する構造を示し、形状、位置、個数には限定されない。
【００１０】
図６の左側面図に示すように、図３の左側から見ると、中央奥にヒンジ２を境にして上に上底部１３及び下に下底部１４が半円状に設けられ、手前側の上円筒部５及び下円筒部７の開口内縁部にはそれぞれ円環部１５が設けられ、該円環部１５は図１に示すように胴管部Ａとマウスピース部Ｂの差し込み部（境界部）に係合するように所定幅で形成されている。
また、前記下円筒部７には、開口側の円周縁枠の両端を肉厚部１６とし、該肉厚部１６から上方へ突出するピン１７をそれぞれ設け、該ピン１７が前記上円筒部５の円周縁枠及び円環部１５に係合して上円筒部５及び下円筒部７を重ねた時に円筒形を保持するように形成されている。
さらに、前記下円筒部７及び下円錐部８の内面には、最下点を境にして等間隔で２枚のフイン１８がそれぞれ立設され、該フイン１８の高さはマウスピース部Ｂの吹き口下部を支持することができる高さとなっている。
なお、前記フイン１８は、ソプラノリコーダーやアルトリコーダーの種類により、形状、大きさ等を変更することができる。
【００１１】
図７の右側面図に示すように、図３の右側から見ると、中央のヒンジ２を境にして上に上底部１３及び下に下底部１４が半円状に設けられ、前記上底部１３及び下底部１４に連続して上円錐部６及び下円錐部８がそれぞれ設けられる。
また、前記下円錐部８には３個の丸孔１２が形成され、下円筒部７には２個の脚部１１がそれぞれ形成されている。
【００１２】
図８の図１Ａ−Ａ矢視断面図に示すように、手前側から上円筒部５（断面）、上円錐部６、上底部１３と連続して形成されて、同様に手前側から下円筒部７（断面）、下円錐部８、下底部１４と連続して形成されて、両者はヒンジ２で開閉自在に連結されている。
また、前記下円筒部７及び下円錐部８の内部には、最下点を境にして等間隔、等高さで２枚のフイン１８がそれぞれ立設され、奥の下底部１４にも連結されている。
【００１３】
図９の図６Ｂ−Ｂ矢視断面図に示すように、前記上円筒部５及び下円筒部７の内面中央にはマウスピース部Ｂの膨出部が嵌合する彎曲状の嵌合凹部１９が形成される。
また、前記下円筒部７及び下円錐部８の内部には、最下点を境にして等間隔、等高さで２枚のフイン１８がそれぞれ立設され、奥の下底部１４にも連結されている。
図１０の拡大部分断面図に示すように、前記上半容器部３と下半容器部４との接合は、それぞれの突部１０へ可撓性耳部９の下方への折り返しにより嵌合させることで固定することができる。
【００１４】
次に、本発明のリコーダー用抗菌キャップの使用方法を簡単に説明する。
吹奏楽器リコーダーを使い終わったら、図１に示すように、本発明のリコーダー用抗菌キャップ１を開き、下半容器部４にリコーダーＣのマウスピース部Ｂの吹き口を上にして載せるようにする。
その時、前記下半容器部４の円環部１５が胴管部Ａとマウスピース部Ｂの差し込み部（境界部）に係合するようにする。
そして、上半容器部３をヒンジ２を中心にして折りたたむように下半容器部４に重ね合わせ、図１０に示すように耳部９を下方へ折曲げて突部１０に係合させる。
こうすることにより、図２に示すようにリコーダーＣに本発明のリコーダー用抗菌キャップ１を装着することができる。
また、前記下半容器部４の内面にはフイン１８、及び前記上半容器部３の内面には嵌合凹部１９を形成しているので、リコーダーが自転することがなく、ぐらつかない。
本発明のリコーダー用抗菌キャップ１には、図５に示すように脚部１１が設けられており、リコーダーが転がることがなく、また丸孔１２が設けられていることにより通気機能が保たれている。
本発明のリコーダー用抗菌キャップ１は、薄めのプラスチック加工となっており、リコーダーに装着状態でも従来の布製ケースに収納が可能である。
【図面の簡単な説明】
【００１５】
【図１】本発明のリコーダー用抗菌キャップの使用状態を示す一部断面正面図である。
【図２】本発明のリコーダー用抗菌キャップの使用状態を示す平面図である。
【図３】本発明のリコーダー用抗菌キャップの正面図である。
【図４】本発明のリコーダー用抗菌キャップの平面図である。
【図５】本発明のリコーダー用抗菌キャップの底面図である。
【図６】本発明のリコーダー用抗菌キャップの左側面図である。
【図７】本発明のリコーダー用抗菌キャップの右側面図である。
【図８】図１のＡ−Ａ矢視断面図である。
【図９】図６のＢ−Ｂ矢視断面図である。
【図１０】上半容器部と下半容器部との接合を示す要部拡大断面図である。
【符号の説明】
【００１６】
１  リコーダー用抗菌キャップ
２  ヒンジ
３  上半容器部
４  下半容器部
５  上円筒部
６  上円錐部
７  下円筒部
８  下円錐部
９  耳部
１０  突部
１１  脚部
１２  丸孔
１３  上底部
１４  下底部
１５  円環部
１６  肉厚部
１７  ピン
１８  フイン
１９  嵌合凹部
【図１】
2007279132.tif 000003
【図２】
2007279132.tif 000004
【図３】
2007279132.tif 000005
【図４】
2007279132.tif 000006
【図５】
2007279132.tif 000007
【図６】
2007279132.tif 000008
【図７】
2007279132.tif 000009
【図８】
2007279132.tif 000010
【図９】
2007279132.tif 000011
【図１０】
2007279132.tif 000012